(57)【要約】【課題】菜園などの現場にて極めて簡単かつ容易にセッティングすることができ、しかも菜園などに安定的に設置することができる蔓科植物支持具を提供する。【解決手段】所定間隔開けてほぼ平行に配設した複数本の縦杆部材とこれら縦杆部材に掛け渡した複数本の横杆部材とから構成された第１格子部材及び第２格子部材が備えられ、前記第１格子部材と前記第２格子部材とはその上端で蝶番により枢支されて、前記第２格子部材が前記第１格子部材に対して揺動可能であり、前記複数の縦杆部材中の任意の縦杆部材の下端には脚部を一体に延設した。【選択図】図１
2010115119.tif 000002
【特許請求の範囲】
【請求項１】
所定間隔開けてほぼ平行に配設した複数本の縦杆部材とこれら縦杆部材に掛け渡した複数本の横杆部材とから構成された第１格子部材及び第２格子部材が備えられ、前記第１格子部材と前記第２格子部材とはその上端で枢支されて、前記第２格子部材が前記第１格子部材に対して揺動可能であることを特徴とする蔓科植物支持具。
【請求項２】
所定間隔開けてほぼ平行に配設した複数本の縦杆部材とこれら縦杆部材に掛け渡した複数本の横杆部材とから構成された第１格子部材及び第２格子部材が備えられ、前記第１格子部材と前記第２格子部材とはその側縁で枢支されて、前記第２格子部材が前記第１格子部材に対して揺動可能であることを特徴とする蔓科植物支持具。
【請求項３】
前記複数の縦杆部材中の任意の縦杆部材には、脚部が設けられていることを特徴とする請求項１または２に記載の蔓科植物支持具。
【発明の詳細な説明】
【技術分野】
【０００１】
本発明は、例えば菜園などで育てるきゅうりやトマトなどの蔓科植物を巻きつけさせて支持するための支持具に関する。
【背景技術】
【０００２】
一般に菜園などできゅうりやトマトなどの蔓科植物を育てる場合には、この蔓科植物を巻きつけさせるための支柱等の支持具が必要となる。
そこで従来では、この種の蔓科植物支持具として、例えば棒状の支柱と桟部材から成る支持具が提案されており、この支持具では、用意された桟部材に複数本の支柱を順次挿通して支柱と桟部材を組み付けることで、支持具を作成するようにしている。（特許文献１参照）。
【０００３】
また別の支持具としては、棒状の支柱と桟部材を用意しておき、蔓科植物を育てる菜園などの現場で、所定間隔あけて配置される複数の支柱間に桟部材を掛け渡して、桟部材を支柱に紐で結わえるなどして、格子状に組み立てて用いるようにしたものも見受けられる。
【０００４】
しかしながら、前述の蔓科植物支持具では、別途用意されている支柱と桟部材を組み立てるのに時間と手間を要するし、後者のものでは、紐の結わえ方が悪いと、互いに結わえた支柱と桟部材がばらばらになって、支持具としての用を足さなくなる不具合もある。
【特許文献１】特開平９−２３７５９号
【発明の開示】
【発明が解決しようとする課題】
【０００５】
本発明は以上の実情に鑑みて開発したものであって、目的とするところは、菜園などの現場にて極めて簡単かつ容易にセッティングすることができ、しかも菜園などに安定的に設置することができる蔓科植物支持具を提供することにある。
【課題を解決するための手段】
【０００６】
前記した目的を達成するために、請求項１に記載の発明は、所定間隔開けてほぼ平行に配設した複数本の縦杆部材とこれら縦杆部材に掛け渡した複数本の横杆部材とから構成された第１格子部材及び第２格子部材が備えられ、前記第１格子部材と前記第２格子部材とはその上端で枢支されて、前記第２格子部材が前記第１格子部材に対して揺動可能であることを特徴とする。
【０００７】
請求項２に記載の発明は、所定間隔開けてほぼ平行に配設した複数本の縦杆部材とこれら縦杆部材に掛け渡した複数本の横杆部材とから構成された第１格子部材及び第２格子部材が備えられ、前記第１格子部材と前記第２格子部材とはその側縁で枢支されて、前記第２格子部材が前記第１格子部材に対して揺動可能であることを特徴とする。
【０００８】
また請求項３に記載の発明は、請求項１または２に記載の蔓科植物支持具において、前記複数の縦杆部材中の任意の縦杆部材には、脚部が設けられていることを特徴とする。
【発明の効果】
【０００９】
請求項１に記載の発明によれば、菜園などの現場で、第２格子部材を第１格子部材に対して好みの角度に展開して、山形に立てるだけで、所望の場所に極めて簡単かつ容易にセッティングすることができるし、不使用時には、第２格子部材を第１格子部材に対して折畳むことにより、嵩低くすることが出来て、保管し易くなる。
【００１０】
請求項２に記載の発明によれば、菜園などの現場で、第２格子部材を第１格子部材に対して好みの角度に展開して、菜園に立てるだけで、所望の場所に極めて簡単かつ容易にセッティングすることができるし、不使用時には、第２格子部材を第１格子部材に対して折畳むことにより、嵩低くすることが出来て、保管し易くなる。
【００１１】
請求項３に記載の発明によれば、請求項１または２に記載の発明の効果に加えて、蔓科植物支持具を菜園などの所望の場所に安定的に設置することが出来る。
【発明を実施するための最良の形態】
【００１２】
以下、本発明の実施形態について図面を参照しながら説明する。
【００１３】
まず図１は、蔓科植物支持具の一実施形態を示す斜視図、図２は、同側面図、
図３は、図2おけるＡ−Ａ線断面図  図４は、図１に示す蔓科植物支持具を折畳んだ状態を示す斜視図である。
【００１４】
また図５は、蔓科植物支持具の別の実施形態を示す斜視図、図６は、同背面図、
図７は、図６おけるＢ−Ｂ線断面図、図８は、図５に示す蔓科植物支持具を折畳んだ状態を示す斜視図、図９は、図８に示す蔓科植物支持具を９０度展開した状態を示す斜視図である。
【００１５】
図１〜図４に示す蔓科植物支持具１は、基本的には第１格子部材２と第２格子部材３から構成されている。
【００１６】
第１格子部材２は、所定間隔あけて平行に配設される左右一対の縦杆部材２１ａ・２１ｂと、これら両縦杆部材２１ａ・２１ｂに掛け渡される複数本の横杆部材２２とから構成されたものであって、縦杆部材２１ａ・２１ｂの下端には、脚部２３ａ・２３ｂが一体に延設されている。
【００１７】
また横杆部材２２は、図１にも示すように、左右縦杆部材２１ａ・２１ｂに対してその上端から下端にかけて所定間隔毎に架設され、これら横杆部材２２と左右縦杆部材支柱２１ａ・２１ｂとは、木ねじ４及び釘４０により一体に固定されている。
【００１８】
第２格子部材３は、第１格子部材２と同様、左右一対の縦杆部材３１ａ・３１ｂとこれら縦杆部材３１ａ・３１ｂに掛け渡される複数本の横杆部材３２とから構成されたものであって、縦杆部材３１ａ・３１ｂの下端には、脚部３３ａ・３３ｂが一体に延設されている。
【００１９】
また横杆部材３２は、図１にも示すように、左右縦杆部材３１ａ・３１ｂの上端から下端にかけて所定間隔毎に架設され、横杆部材３２と左右縦杆部材支柱３１ａ・３１ｂとは、木ねじ４及び釘４０により一体に固定されている。
【００２０】
尚、第１格子部材２を構成する縦杆部材２１ａ・２１ｂと横杆部材２２、並びに第２格子部材３を構成する縦杆部材３１ａ・３１ｂと横杆部材３２は、いずれも横断面四角形とした細長い木材片から形成されている。
【００２１】
そして以上の第１格子部材２と第２格子部材３とは、その上端で蝶番５により枢支されて、第２格子部材３または第１格子部材２が、他方に対して揺動可能に連結されている。
【００２２】
具体的には、第１格子部材２を構成する縦杆部材２１ａ・２１ｂの上端に掛け渡された横杆部材２２と、第２格子部材３を構成する縦杆部材３１ａ・３１ｂの上端に掛け渡された横杆部材３２とが蝶番５により連結されている。
【００２３】
以上の構成からなる蔓科植物支持具１は、不使用時には、図４に示すように、第１格子部材２を第2格子部材３に重なるように折畳むのであって、これにより、蔓科植物支持具１の保管に要する場所を小さくすることが出来る。
【００２４】
一方、蔓科植物支持具１の使用に際しては、図１に示すように、第１格子部材２を第2格子部材３に対して上下方向に斜めに展開させて、菜園などの畑上に設置するのであって、この時、脚２３ａ・２３ｂ及び３３ａ・３３ｂの下端は、菜園の土内に埋め込むのが好ましい。
【００２５】
また第2格子部材３に対する第１格子部材２の展開角度は、蔓科植物支持具１の設置環境や蔓を巻きつける植物の種類により、任意変更すればよい。
【００２６】
次に図５〜図９に示す蔓科植物支持具１０の別の実施形態を説明する。
【００２７】
図５〜図９に示す蔓科植物支持具１０は、前記した実施形態と同様に、第１格子部材６と第２格子部材７から構成されている。
【００２８】
第１格子部材６は、所定間隔あけて平行に配設される４本の縦杆部材６１ａ・６１ｂ・６１ｃ・６１ｄと、これら縦杆部材６１ａ〜６１ｄに掛け渡される９本の横杆部材６２とから構成されたものであって、縦杆部材６１ａ〜６１ｄ中の２つ６１ｂ・６１ｄの下端には、脚部６３ａ・６３ｂが一体に延設されている。
【００２９】
第１格子部材６の横杆部材６２は、図５にも示すように、縦杆部材６１ａ〜６１ｄに対してその上端から下端にかけて所定間隔毎に架設され、これら横杆部材６２と縦杆部材支柱６１ａ〜６１ｄとは、木ねじ４及び釘４０により一体に固定されている。
【００３０】
第２格子部材７は、第１格子部材６と同様に、所定間隔あけて平行に配設される４本の縦杆部材７１ａ・７１ｂ・７１ｃ・７１ｄと、これら縦杆部材７１ａ〜７１ｄに掛け渡される９本の横杆部材７２とから構成されたものであって、縦杆部材７１ａ〜７１ｄ中の２つ７１ａ・７１ｃの下端には、脚部７３ａ・７３ｂが一体に延設されている。
【００３１】
第２格子部材７の横杆部材７２は、図５にも示すように、縦杆部材７１ａ〜７１ｄに対してその上端から下端にかけて所定間隔毎に架設され、これら横杆部材７２と縦杆部材支柱７１ａ〜７１ｄとは、木ねじ４及び釘４０により一体に固定されている。
【００３２】
第１格子部材６を構成する縦杆部材６１ａ〜６１ｄと横杆部材６２並びに第２格子部材７を構成する縦杆部材７１ａ〜７１ｄと横杆部材７２は、横断面四角形とした細長い木材片から形成されている。
【００３３】
そして、以上の第１格子部材６の側縁と第２格子部材７の側縁とが蝶番５により枢支されて、第２格子部材７または第１格子部材６が、他方に対して水平方向に揺動可能に連結されている。
【００３４】
具体的には、第１格子部材６を構成する縦杆部材６１ａ〜６１ｄ中の右端の縦杆部材６１ｄと第２格子部材７を構成する縦杆部材７１ａ〜７１ｄ中の右端の縦杆部材７１ａとが、その上下両端部及び上下方向中間部の３箇所で蝶番５により連結されている。
【００３５】
以上の構成からなる蔓科植物支持具１０は、不使用時には、図８に示すように、第１格子部材６を第2格子部材７に重なるように折畳むのであって、これにより、蔓科植物支持具１０の保管に要する場所が小さくなる。
【００３６】
一方、蔓科植物支持具１０を使用する場合には、例えば図５に示すように、第１格子部材６を第2格子部材７に対して水平方向に１８０度、あるいは図９に示すように、９０度展開して、菜園などの畑上に設置するのであって、設置に際しては、脚部６３・７３の下端部を土に埋め込むのが好ましい。
【００３７】
尚、菜園への設置に際しての第2格子部材７に対する第１格子部材６の展開角度は、蔓科植物支持具１の設置環境や蔓を巻きつける植物の種類により、任意変更すればよい。
【００３８】
また以上の蔓科植物支持具１０では、この蔓科植物支持具１０を2組用意して、各蔓科植物支持具１０の第２格子部材を第１格子部材に対して９０度展開した上で、これら両蔓科植物支持具１０の４枚の格子部材を平面視矩形状に配置して用いてもよい。
【００３９】
以上の実施形態では、各格子部材２・３・６・７を断面矩形とした木製の角棒を用いて形成したが、これに限定されるものではなく、例えば断面円形とした木製の丸棒を用いて形成してもよい。
【００４０】
また以上の実施形態では、本発明にかかる蔓科植物支持具１・１０を木材から形成したが、これに限定されるものではなく、例えばプラスチック材料から形成してもよい。
【図面の簡単な説明】
【００４１】
【図１】本発明にかかる蔓科植物支持具の一実施形態を示す斜視図。
【図２】同、同側面図。
【図３】図2おけるＡ−Ａ線断面図。
【図４】図１に示す蔓科植物支持具を折畳んだ状態を示す斜視図。
【図５】蔓科植物支持具の別の実施形態を示す斜視図。
【図６】同、背面図。
【図７】図６おけるＢ−Ｂ線断面図。
【図８】図５に示す蔓科植物支持具を折畳んだ状態を示す斜視図。
【図９】図８に示す蔓科植物支持具を９０度展開した状態を示す斜視図。
【符号の説明】
【００４２】
１・１０          蔓科植物支持具
２                第１格子部材
２１ａ・２１ｂ    縦杆部材
２２              横杆部材
２３ａ  ・２３ｂ  脚部
３                第２格子部材
３１ａ・３１ｂ    縦杆部材
３２              横杆部材
３３ａ  ・３３ｂ  脚部
４                木ねじ
５                蝶番
６                第１格子部材
６１ａ〜６１ｄ    縦杆部材
６２              横杆部材
６３              脚部
７                第２格子部材
７１ａ〜７１ｄ    縦杆部材
７２              横杆部材
７３              脚部
【図１】
2010115119.tif 000003
【図２】
2010115119.tif 000004
【図３】
2010115119.tif 000005
【図４】
2010115119.tif 000006
【図５】
2010115119.tif 000007
【図６】
2010115119.tif 000008
【図７】
2010115119.tif 000009
【図８】
2010115119.tif 000010
【図９】
2010115119.tif 000011